(57)【要約】【課題】溶湯の先走りを効果的に抑制することができる真空ダイカスト装置を提供する。【解決手段】金型１０と、内部に溶湯が貯留されるスリーブ２１と、スリーブ２１内に摺動可能に配設されたプランジャ２３と、金型１０で囲まれて形成されたキャビティＣに開口するゲート１４と、ゲート１４とスリーブ２１内とを連通するランナー１５と、を備え、プランジャ２３によりスリーブ２１内の溶湯を減圧されたキャビティＣに射出する真空ダイカスト装置１であって、スリーブ２１の終端部からランナー１５におけるゲート１４との結合部に至る流路の上方にはガス抜き溝６０が形成されている。【選択図】図２
2018069257.tif 000002
【特許請求の範囲】
【請求項１】
金型と、内部に溶湯が貯留されるスリーブと、前記スリーブ内に摺動可能に配設されたプランジャと、前記金型で囲まれて形成されたキャビティに開口するゲートと、前記ゲートと前記スリーブ内とを連通するランナーと、を備え、前記プランジャにより前記スリーブ内の溶湯を減圧された前記キャビティに射出する真空ダイカスト装置であって、
前記スリーブの終端部から前記ランナーにおける前記ゲートとの結合部に至る流路の上方にはガス抜き溝が形成されている、真空ダイカスト装置。
【発明の詳細な説明】
【技術分野】
【０００１】
本発明は、真空ダイカスト装置に関する。
【背景技術】
【０００２】
ダイカストにおいて、金型で囲まれて形成されたキャビティに溶湯を射出するときのガスの巻き込みによる鋳巣及びブローホール等の欠陥が問題となる。キャビティに溶湯を射出するときのガスの巻き込みを低減することを目的とした真空ダイカスト方法が知られている。真空ダイカスト方法は、真空吸引装置を使用してキャビティ内を減圧して溶湯の射出を行う。
【０００３】
特許文献１には、内部に溶湯が給湯されて貯められるスリーブと、スリーブ内に摺動可能に配設されたプランジャと、キャビティとスリーブ内とを連通するランナーと、を備え、プランジャの前進によりスリーブ内の溶湯をキャビティに射出する真空ダイカスト装置が記載されている。
【先行技術文献】
【特許文献】
【０００４】
【特許文献１】特開２００８−２４６５０３号公報
【発明の概要】
【発明が解決しようとする課題】
【０００５】
しかしながら、特許文献１に記載の真空ダイカスト装置においては、スリーブ内の溶湯をキャビティに射出している際に溶湯が波立つことによってランナーが閉塞されると、キャビティ内の気圧とスリーブ内の気圧との気圧差によって、溶湯の先がキャビティ内に吸い込まれてしまう、いわゆる、溶湯の先走りが起こる。
【０００６】
本発明は、以上の背景に鑑みなされたものであり、溶湯の先走りを効果的に抑制することができる真空ダイカスト装置を提供することを目的とする。
【課題を解決するための手段】
【０００７】
本発明は、金型と、内部に溶湯が貯留されるスリーブと、前記スリーブ内に摺動可能に配設されたプランジャと、前記金型で囲まれて形成されたキャビティに開口するゲートと、前記ゲートと前記スリーブ内とを連通するランナーと、を備え、前記プランジャにより前記スリーブ内の溶湯を減圧された前記キャビティに射出する真空ダイカスト装置であって、前記スリーブの終端部から前記ランナーにおける前記ゲートとの結合部に至る流路の上方にはガス抜き溝が形成されているものである。
【発明の効果】
【０００８】
本発明によれば、溶湯の先走りを効果的に抑制することができる。
【図面の簡単な説明】
【０００９】
【図１】本実施の形態にかかる真空ダイカスト装置１の概略構成を示す模式図である。
【図２】図１の破線Ａで囲った領域を拡大した拡大図である。
【図３】図２のＩＩＩ−ＩＩＩ線に沿う断面図である。
【図４】キャビティに溶湯を射出する際における溶湯の先走りを抑制するメカニズムについて説明する図である。
【発明を実施するための形態】
【００１０】
以下、図面を参照して本発明の実施の形態について説明する。
まず、図１を参照して本実施の形態にかかる真空ダイカスト装置１の概略構成について説明する。図１は、本実施の形態にかかる真空ダイカスト装置１の概略構成を示す模式図である。図１に示すように、真空ダイカスト装置１は、金型１０と、射出装置２０と、真空吸引装置３０と、を備えている。
【００１１】
金型１０は、固定型１２と可動型１３とから構成される。金型１０には、固定型１２に対して可動型１３を合せた状態、すなわち型閉じ状態において、固定型１２と可動型１３との間にキャビティＣが形成される。また、この型閉じ状態において、固定型１２と可動型１３との間には、キャビティＣに開口するゲート１４と、このゲート１４を、固定型１２の背面に結合された射出装置２０のスリーブ２１内に連通させるランナー１５とからなる流路が形成される。可動型１３には、鋳造物を脱型するための押出し器１１が内蔵されている。
【００１２】
射出装置２０は、スリーブ２１と、スリーブ２１内に摺動可能に配設されたプランジャ２３と、一端がプランジャ２３に連結されたロッド２５と、ロッド２５の他端に連結されロッド２５を介してプランジャ２３を駆動する射出シリンダ２４と、を備えている。スリーブ２１は、後端側の上部に溶湯を受けるための給湯口２２が設けられ、内部に溶湯が貯留される。プランジャ２３は、射出シリンダ２４の作動に応じてスリーブ２１内を進退動する。なお、ロッド２５を介してプランジャ２３を駆動する射出シリンダ２４は、電動方式等の他の駆動方式に代えてもよい。
【００１３】
真空吸引装置３０は、真空ポンプ３１と、真空ポンプ３１によって内部空間が減圧された真空タンク３２と、この真空タンク３２と金型１０内のキャビティＣとを連通する真空配管３３と、真空配管３３に設けられた減圧弁３４とを備えている。真空タンク３２の内部空間は、真空ポンプ３１を間欠運転させることにより所定の負圧に維持されている。減圧弁３４を開くことで、キャビティＣ内の空気は真空タンク３２に吸引される。これにより、キャビティＣ内は、例えば５ｋＰａ程度に減圧される。
【００１４】
鋳造の開始時には、スリーブ２１内においてプランジャ２３は後退位置にある。また、減圧弁３４は閉じられている。給湯口２２からスリーブ２１内に所定量の溶湯を供給した後、プランジャ２３を矢印Ｂの方に前進させることで、溶湯Ｍが、スリーブ２１内からランナー１５およびゲート１４を経てキャビティＣ内に射出（加圧充填）される。減圧弁３４は、プランジャ２３が給湯口２２を越えて所定の位置まで前進したタイミングで開かれる。
【００１５】
溶湯がアルミニウムの溶湯である場合、溶湯の温度は７００℃程度である。キャビティＣ内に充填された溶湯は、凝固温度以下に冷却されることで凝固する。これにより、鋳造物が形成される。鋳造物が形成された後、金型１０の型開きを行い、可動型１３に内蔵された押出し器１１によって鋳造物が金型１０から取り出される。
【００１６】
図２は、図１の破線Ａで囲った領域を拡大した拡大図である。図３は、図２のＩＩＩ−ＩＩＩ線に沿う断面図である。図２および図３に示すように、スリーブ２１の終端部からランナー１５におけるゲート１４との結合部に至る流路の上方にはガス抜き溝６０が形成されている。
【００１７】
図４は、キャビティＣに溶湯Ｍを射出する際における溶湯Ｍの先走りを抑制するメカニズムについて説明する図である。図４に示すように、キャビティＣに溶湯Ｍを射出するためにプランジャ２３を矢印Ｂの方に前進させると、溶湯Ｍの表面が波立つ。
【００１８】
ガス抜き溝６０が形成されていない場合には、溶湯Ｍの波立ちによってランナー１５が閉塞される。キャビティＣ内が真空吸引装置３０により真空引きされている状態で、溶湯Ｍの波立ちによってランナー１５が閉塞されてしまうと、キャビティＣ内の気圧とスリーブ内の気圧との気圧差が生じる。これにより、溶湯Ｍの先端部分ＭａがキャビティＣ内へと吸い込まれる、いわゆる溶湯Ｍの先走りが起こる。
【００１９】
一方、本実施の形態にかかる真空ダイカスト装置１では、上述したように、スリーブ２１の終端部２１ａからランナー１５におけるゲート１４との結合部１５ａに至る流路の上方にはガス抜き溝６０が形成されている。ガス抜き溝６０は溶湯Ｍの表面に発生した波によって塞がれ難い。このため、上述した溶湯Ｍの波立ちが起こっても、キャビティＣ内とスリーブ内上部の気体空間とがガス抜き溝６０により均圧されるので溶湯Ｍの先走りは発生しない。
【００２０】
以上、本実施の形態にかかる真空ダイカスト装置１では、溶湯の先走りを効果的に抑制することができる。
【００２１】
なお、本発明は上記実施の形態に限られたものではなく、趣旨を逸脱しない範囲で適宜変更することが可能である。
【符号の説明】
【００２２】
１  真空ダイカスト装置
１０  金型
１１  押出し器
１２  固定型
１３  可動型
１４  ゲート
１５  ランナー
１５ａ  結合部
２０  射出装置
２１  スリーブ
２１ａ  終端部
２２  給湯口
２３  プランジャ
２４  射出シリンダ
２５  ロッド
３０  真空吸引装置
３１  真空ポンプ
３２  真空タンク
３３  真空配管
３４  減圧弁
６０  ガス抜き溝
Ｃ  キャビティ
【図１】
2018069257.tif 000003
【図２】
2018069257.tif 000004
【図３】
2018069257.tif 000005
【図４】
2018069257.tif 000006